(57)【要約】【課題】建物の壁材側から構造躯体側への水の浸入に関して高い止水性を実現するのに適した止水部材、並びに、そのような止水部材を用いた壁構造および壁材施工方法を、提供する。【解決手段】本発明の止水部材Ｘ１は、本体部１０およびシール部材２０を備える。本体部１０は、構造躯体への取付用の平板部１１と、その一端縁に位置する幅広部１２とを有する。幅広部１２は、平板部１１の一端縁にて平板部１１における厚さ方向の両側に延出し、且つ、平板部１１とは反対の側にシール部材取付面１２Ａを有する。シール部材２０は、幅広部１２のシール部材取付面１２Ａにおいて平板部１１の延長面が横切る位置に取り付けられるものである。【選択図】図１
2019065479.tif 000002
【特許請求の範囲】
【請求項１】
構造躯体への取付用の平板部、および、当該平板部の一端縁に位置して当該平板部における厚さ方向の両側に延出し且つ当該平板部とは反対の側にシール部材取付面を有する幅広部、を有する本体部と、
前記幅広部の前記シール部材取付面において前記平板部の延長面が横切る位置に取り付けられるシール部材と、を備える止水部材。
【請求項２】
前記本体部は、金属板の折曲げ加工体、金属板を溶接した加工体、金属の押出成形体、または樹脂成形体である、請求項１に記載の止水部材。
【請求項３】
前記平板部の厚さ方向における前記幅広部の一端部は、前記シール部材の側への折り返し構造を有する、請求項１または２に記載の止水部材。
【請求項４】
壁材固定箇所を提供する構造躯体第１部位と、
前記構造躯体第１部位に対して固定される壁材の一端縁に対向することとなる領域を含む構造躯体第２部位と、
壁材と、
請求項１から３のいずれか一つに記載の止水部材とを備え、
前記止水部材における前記平板部は前記構造躯体第１部位に固定され、且つ、当該止水部材における前記シール部材は前記幅広部と前記構造躯体第２部位との間に挟まれて当該構造躯体第２部位に密接し、
前記壁材は、当該壁材の一端縁を前記構造躯体第２部位に対向させつつ、前記構造躯体第１部位との間に前記止水部材における前記平板部を挟んで前記構造躯体第１部位に対して固定されている、壁構造。
【請求項５】
前記壁材と前記止水部材との間をシールするシーリング材を更に備える、請求項４に記載の壁構造。
【請求項６】
前記シーリング材は、前記構造躯体第２部位に対向する前記壁材の前記一端縁における前記平板部の側と当該平板部との間に介在している、請求項５に記載の壁構造。
【請求項７】
前記壁材と前記構造躯体第２部位との間をシールするシーリング材を更に備える、請求項４から６のいずれか一つに記載の壁構造。
【請求項８】
壁材固定箇所を提供する構造躯体第１部位と、当該構造躯体第１部位に対して固定される壁材の一端縁に対向することとなる領域を含む構造躯体第２部位とを有する構造躯体に対し、壁材と、請求項１から３のいずれか一つに記載の止水部材とを取り付ける壁材施工方法であって、
前記構造躯体第２部位と前記止水部材における前記幅広部との間に当該止水部材の前記シール部材が挟まれた状態で前記構造躯体第２部位に向けて前記平板部に力を作用させて前記シール部材を押圧することにより、当該シール部材を前記構造躯体第２部位に密接させる工程と、
前記止水部材における前記シール部材が前記構造躯体第２部位に密接している状態で、当該止水部材における前記平板部を前記構造躯体第１部位に固定する工程と、
前記壁材を、前記構造躯体第１部位との間に前記止水部材における前記平板部を挟んで当該構造躯体第１部位に対して固定する工程と、を含む壁材施工方法。
【発明の詳細な説明】
【技術分野】
【０００１】
本発明は、建物の壁材側から構造躯体側への水の浸入を防止するために使用可能な止水部材、並びに、そのような止水部材を用いた壁構造および壁材施工方法に、関する。
【背景技術】
【０００２】
建築物の外壁や内壁を構成する壁材として、窯業系サイディングボードや金属系サイディングボードなどが用いられる場合がある。建物の構造躯体への壁材の取付け施工にあたっては、壁材は、必要な場合に、取付け箇所に応じた所望の寸法形状に切断される。また、構造躯体に取り付けられた一連の壁材の端部、例えば、構造躯体においてその開口部を形作る枠体に対向する壁材端部においては、壁材側から構造躯体側への水の浸入を防止する手当てが施される場合がある。壁材端部でのこのような防水処置に関する技術については、例えば下記の特許文献１〜３に記載されている。
【先行技術文献】
【特許文献】
【０００３】
【特許文献１】特開２００６−２０７２２１号公報
【特許文献２】特開２０１４−１４５２２１号公報
【特許文献３】特開２０１６−３７８０４号公報
【発明の概要】
【発明が解決しようとする課題】
【０００４】
壁材端部における防水処置として、構造躯体の所定箇所とそれに対向する壁材端部との間の隙間を閉じるようにシーリング材が塗工される場合がある。しかし、シーリング材の耐候性が充分でないことから、もっぱらシーリング材に頼る防水処置によると、建物の壁材側から構造躯体側への水の浸入が生じる場合がある。
【０００５】
本発明は、このような事情のもとで考え出されたものであり、その目的は、建物の壁材側から構造躯体側への水の浸入に関して高い止水性を実現するのに適した止水部材、並びに、そのような止水部材を用いた壁構造および壁材施工方法を、提供することにある。
【課題を解決するための手段】
【０００６】
本発明の第１の側面によると、止水部材が提供される。この止水部材は、本体部およびシール部材を備える。本体部は、建物の構造躯体への取付用の平板部と、その一端縁に位置する幅広部とを有する。幅広部は、平板部の一端縁にて当該平板部における厚さ方向の両側に延出し、且つ、平板部とは反対の側にシール部材取付面を有する。シール部材は、幅広部のシール部材取付面において、平板部の延長面が横切る位置に取り付けられるものである。
【０００７】
本止水部材において、シール部材は、幅広部のシール部材取付面に固定されて本体部と一体化されているものでもよいし、本体部とは別体であって、施工現場等でシール部材取付面に密着固定されるものでもよい。
【０００８】
構造躯体への本止水部材の取付け施工は、例えば次のようにして行うことができる。まず、止水部材における幅広部と構造躯体の所定箇所との間にシール部材が挟まれた状態で止水部材における平板部に力を作用させて、当該シール部材を、前記所定箇所に向けて押圧して例えば圧縮変形させ、当該所定箇所に密接させる。次に、止水部材における平板部を構造躯体の他の箇所に固定する。壁材は、構造躯体の前記他の箇所との間に止水部材の平板部を挟んで当該他の箇所に対して固定されることとなる。
【０００９】
本止水部材のシール部材は、上述のように、幅広部のシール部材取付面において平板部の延長面が横切る位置に取り付けられるものである。すなわち、仮想的に延長される平板部（具体的には、仮想的に延長される平板部における両面とも）が、シール部材取付面上のシール部材を通過するように、本止水部材は配置されているか或いは配置されることとなる。
【００１０】
そのため、本止水部材の上述のような取付け施工においては、止水部材の平板部が受ける力は、当該平板部の延長面が横切るシール部材に対して直線的に効率よく作用する。具体的には、構造躯体の所定箇所と止水部材幅広部との間に挟まれているシール部材を、平板部に力を作用させて前記所定箇所に向けて押圧する時、平板部の受ける力は、当該平板部を伝わり、平板部延長面が横切るシール部材に対して幅広部を介して押圧力として直線的に効率よく作用するのである。
【００１１】
このような直線的押圧力伝達作用は、押圧力を受けるシール部材においてその圧縮状態の均一化を図るのに適する。シール部材の圧縮状態の均一性が高いほど、本止水部材ないしそのシール部材において高い止水性ないし高い防水性を実現しやすい。
【００１２】
本止水部材において平板部の延長面と幅広部のシール部材取付面とが直交するか或いは両者の交差する角度が直交に近いほど、シール部材取付面上に位置して構造躯体所定箇所に向けて押圧力を受けるシール部材の圧縮状態は均一化されやすく、従って、当該シール部材において高い止水性ないし高い防水性を実現しやすい。また、本止水部材において平板部の延長面と幅広部のシール部材取付面とが直交するか或いは両者の交差する角度が直交に近いほど、構造躯体への止水部材の取付け施工は、適切に行いやすい。
【００１３】
以上のように、本発明の第１の側面に係る止水部材は、その使用状態において高い止水性を実現するのに適する。
【００１４】
本止水部材の本体部は、好ましくは、金属板の折曲げ加工体、金属板を溶接した加工体、金属の押出成形体、または樹脂成形体である。
【００１５】
金属板の折曲げ加工体である本体部は、例えば、上記の平板部と、この平板部の上記一端縁から当該平板部に対して直角または略直角な方向に延びる第１延出片部と、この第１延出片部において平板部とは反対の側の端部から平板部延長面に対して直角または略直角な方向に当該平板部延長面を超えて延びる第２延出片部とを有する。このような本体部では、第１および第２延出片部が上記の幅広部をなし、第２延出片部において平板部とは反対の側の面が上記のシール部材取付面をなす。
【００１６】
例えばこのような、金属板の折曲げ加工体である本体部は、金属板の折曲げ加工によって効率よく製造することがきる。
【００１７】
一方、金属板を溶接した加工体である本体部、金属の押出成形体である本体部、および、樹脂成形体である本体部は、それぞれ、上記の平板部と、この平板部の上記一端縁から当該平板部に対して例えば直角または略直角に互いに逆方向に延びる一対の延出片部とを有する。このような本体部では、一対の延出片部が上記の幅広部をなし、これら一対の延出片部において平板部とは反対の側の面が上記のシール部材取付面をなす。
【００１８】
金属板を溶接した加工体である本体部は、金属板の溶接加工によって効率よく製造することがきる。金属の押出成形体である本体部は、金属の押出成形によって効率よく製造することができる。樹脂成形体である本体部は、樹脂材料の例えば射出成形によって効率よく製造することがきる。
【００１９】
本止水部材において、好ましくは、平板部の厚さ方向における幅広部の一端部は、シール部材取付面側においてシール部材の側への折り返し構造を有する。このような構成は、当該折り返し構造を壁材側に向けて本止水部材を構造躯体に取り付けた場合において、当該折り返し構造によってシール部材を隠すのに好適である。また、シール部材に加えて当該折り返し構造部分が構造躯体と当接する場合には、本止水部材において高い止水性を得やすい。
【００２０】
本発明の第２の側面によると、壁構造が提供される。この壁構造は、壁材固定箇所を提供する構造躯体第１部位と、当該第１部位に対して固定される壁材の一端縁に対向することとなる領域を含む構造躯体第２部位と、壁材と、本発明の第１の側面に係る上述の止水部材とを備える。止水部材の平板部は構造躯体第１部位に固定され、且つ、この止水部材のシール部材は幅広部と構造躯体第２部位との間に挟まれて当該第２部位に密接している。壁材は、その一端縁を構造躯体第２部位に対向させつつ、構造躯体第１部位との間に止水部材の平板部を挟んで当該第１部位に対して固定されている。
【００２１】
本壁構造では、上述のように、止水部材における平板部は構造躯体第１部位に固定され、且つ、この止水部材におけるシール部材は幅広部と構造躯体第２部位との間に挟まれて例えば圧縮変形して当該第２部位に密接している。このような状態においては、構造躯体第１部位に固定される平板部に対して構造躯体第２箇所に向けて力が作用し、平板部の受ける力は、当該平板部を伝わり、平板部延長面が横切るシール部材に対して幅広部を介して押圧力として直線的に効率よく作用する。
【００２２】
このような直線的押圧力伝達作用は、押圧力を受けるシール部材においてその圧縮状態の均一化を図るのに適する。シール部材の圧縮状態の均一性が高いほど、止水部材ないしそのシール部材において高い止水性ないし高い防水性を実現しやすい。
【００２３】
止水部材において平板部の延長面と幅広部のシール部材取付面とが直交するか或いは両者の交差する角度が直交に近いほど、当該シール部材取付面上に位置して構造躯体所定箇所に向けて押圧力を受けるシール部材の圧縮状態は均一化されやすく、従って、当該シール部材において高い止水性ないし高い防水性を実現しやすい。
【００２４】
以上のように、本発明の第２の側面に係る壁構造は、高い止水性を実現するのに適する。
【００２５】
本壁構造は、好ましくは、壁材と止水部材との間をシールするシーリング材を更に備える。このシーリング材は、好ましくは、構造躯体第２部位に対向する壁材の一端縁における平板部側と当該平板部との間に介在している。これら構成は、壁材と止水部材との間の水浸入経路について止水を図るのに適し、従って、本壁構造において高い止水性を実現するうえで好ましい。
【００２６】
本壁構造は、好ましくは、壁材と構造躯体第２部位との間をシールするシーリング材を更に備える。本壁構造が止水部材のシール部材に加えてこのようなシーリング材を備えるという構成は、本壁構造において高い止水性を実現するうえで好ましい。
【００２７】
本発明の第３の側面によると、壁材施工方法が提供される。この壁材施工方法は、壁材固定箇所を提供する構造躯体第１部位と、当該構造躯体第１部位に対して固定される壁材の一端縁に対向することとなる領域を含む構造躯体第２部位とを有する構造躯体に対し、壁材と、本発明の第１の側面に係る上述の止水部材とを取り付けるものであり、次の第１工程、第２工程、および第３工程を含む。
【００２８】
第１工程では、構造躯体第２部位と止水部材における幅広部との間に当該止水部材のシール部材が挟まれた状態で構造躯体第２部位に向けて当該止水部材の平板部に力を作用させてシール部材を押圧することにより、当該シール部材を例えば圧縮変形させて構造躯体第２部位に密接させる。
【００２９】
第２工程では、止水部材におけるシール部材が例えば圧縮変形して構造躯体第２部位に密接している状態で、当該止水部材における平板部を構造躯体第１部位に固定する。
【００３０】
第３工程では、壁材を、構造躯体第１部位との間に止水部材における平板部を挟んで当該構造躯体第１部位に対して固定する。
【００３１】
以上のような構成の壁材施工方法によると、本発明の第２の側面に係る上述の壁構造を適切に形成することができる。
【図面の簡単な説明】
【００３２】
【図１】本発明の第１の実施形態である止水部材の一部切り欠き斜視図である。
【図２】図１の線II−IIに沿った断面図である。
【図３】図１および図２に示す止水部材の変形例の断面図である。
【図４】本発明の第２の実施形態である止水部材の一部切り欠き斜視図である。
【図５】図４の線Ｖ−Ｖに沿った断面図である。
【図６】本発明の第３の実施形態である外壁構造（建物構造躯体に設けられる開口部の周りへの壁材の取付け施工構造）における開口部上側部位の一の部分断面図である。
【図７】本発明の第３の実施形態である外壁構造における開口部両横部位それぞれの部分断面図である。
【図８】本発明の第３の実施形態である外壁構造における開口部下側部位の部分断面図である。
【図９】本発明の第３の実施形態である外壁構造における開口部上側部位の他の部分断面図である。
【図１０】本発明の第４の実施形態である外壁構造（軒天取り合い部における壁材の取付け施工構造）の部分断面図である。
【図１１】本発明の第５の実施形態である外壁構造（出隅部における外装材の取付け施工構造）の部分断面図である。
【発明を実施するための形態】
【００３３】
図１および図２は、本発明の第１の実施形態である止水部材Ｘ１を表す。図１は、止水部材Ｘ１の一部切り欠き斜視図であり、図２は、図１の線II−IIに沿った断面図である。止水部材Ｘ１は、建物の構造躯体に対して壁材とともに取り付けられて止水機能を発揮しうるものであり、本体部１０およびシール部材２０を備える。
【００３４】
止水部材Ｘ１の本体部１０は、建物の構造躯体への取付用の平板部１１と、その一端縁に沿って位置する幅広部１２とを有する。本体部１０は、幅広部１２とは反対側の端縁において折り返し構造部１０ａを有する。この折り返し構造部１０ａは、建物の壁材と平板部１１との間に仮に水が浸入した場合に水返しとして機能しうるとともに、平板部１１の強度の確保に資する。
【００３５】
本体部１０の幅広部１２は、平板部１１の一端縁にて平板部１１における厚さ方向Ｄの両側に延出する構造を有し、且つ、平板部１１とは反対の側にシール部材取付面である取付面１２Ａを有する。
【００３６】
第１の実施形態では、本体部１０は金属板の折曲げ加工体である。そのような本体部１０の幅広部１２は、具体的には、上述の平板部１１の上記一端縁から平板部１１に対して直角または略直角な方向に延びる延出片部１２ａと、この延出片部１２ａにおいて平板部１１とは反対の側の端部から平板部１１の延長面Ｅｘに対して直角または略直角な方向に延長面Ｅｘを超えて延びる延出片部１２ｂと、この延出片部１２ｂから連続して平板部１１とは反対の側に折り返されて形成された折り返し構造部１２ｃとを有する。折り返し構造部１２ｃは、平板部１１の厚さ方向Ｄにおける幅広部１２の一端部のなす構造である。
【００３７】
金属板の折曲げ加工体である本体部１０は、金属板の折曲げ加工によって効率よく製造することがきる。本体部１０の構成材料としては、例えば、アルミニウム合金、鉄、ステンレス、亜鉛合金、銅、およびチタニウムが挙げられる。
【００３８】
止水部材Ｘ１のシール部材２０は、止水部材Ｘ１の取付け施工時に圧縮変形可能な弾性部材であり、本体部１０の有する幅広部１２の取付面１２Ａにおいて、平板部１１の延長面Ｅｘが横切る位置に取り付けられるものである。仮想的に延長される平板部１１（具体的には、仮想的に延長される平板部１１における両面とも）が取付面１２Ａ上のシール部材２０を通過するように、止水部材Ｘ１は配置されている。シール部材２０は、幅広部１２の取付面１２Ａに固定されて本体部１０と一体化されているものでもよいし、本体部１０とは別体であって、施工現場等で取付面１２Ａに密着固定されるものでもよい。
【００３９】
シール部材２０の構成材料としては、例えば、エチレン・プロピレン・ジエンゴム（ＥＰＤＭ）、エチレン・プロピレンゴム（ＥＰＭ）、アクリルゴム、およびシリコーンゴムが挙げられる。
【００４０】
建物の構造躯体への止水部材Ｘ１の取付け施工は、例えば次のようにして行うことができる。
【００４１】
まず、止水部材Ｘ１の本体部１０の幅広部１２と構造躯体の所定の部位Ｂ1（図２では仮想線で表す）との間にシール部材２０が挟まれた状態で、平板部１１に力を作用させて、シール部材２０を部位Ｂ1に向けて押圧して圧縮変形させて部位Ｂ1に密接させる。次に、シール部材２０を圧縮変形させた状態で、止水部材Ｘ１の平板部１１を構造躯体の他の部位Ｂ2（図２では仮想線で表す）に固定する。壁材Ｓ（図２では仮想線で表す）は、構造躯体の部位Ｂ2との間に止水部材Ｘ１の平板部１１を挟んで部位Ｂ2に対して固定されることとなる。
【００４２】
止水部材Ｘ１は、上述のように、仮想的に延長される平板部１１（具体的には、仮想的に延長される平板部１１における両面とも）が幅広部１２の取付面１２Ａ上のシール部材２０を通過するように配置されている。
【００４３】
そのため、止水部材Ｘ１の上述のような取付け施工においては、止水部材Ｘ１の平板部１１が受ける力は、平板部１１の延長面Ｅｘが横切るシール部材２０に対して直線的に効率よく作用する。具体的には、構造躯体の所定の部位Ｂ1と止水部材Ｘ１の幅広部１２との間に挟まれているシール部材２０を、平板部１１に力を作用させて部位Ｂ1に向けて押圧する時、平板部１１の受ける力は、平板部１１の延長面Ｅｘが横切るシール部材２０に対して幅広部１２を介して押圧力として直線的に効率よく作用するのである。
【００４４】
このような直線的押圧力伝達作用は、押圧力を受けるシール部材２０においてその圧縮状態の均一化を図るのに適する。シール部材２０の圧縮状態の均一性が高いほど、止水部材Ｘ１ないしそのシール部材２０において高い止水性ないし高い防水性を実現しやすい。
【００４５】
止水部材Ｘ１の平板部１１の延長面Ｅｘと幅広部１２の取付面１２Ａとが直交するか或いは両者の交差する角度が直交に近いほど、取付面１２Ａ上に位置して構造躯体の部位Ｂ1に向けて押圧力を受けるシール部材２０の圧縮状態は均一化されやすく、従って、当該シール部材２０において高い止水性ないし高い防水性を実現しやすい。また、止水部材Ｘ１の平板部１１の延長面Ｅｘと幅広部１２の取付面１２Ａとが直交するか或いは両者の交差する角度が直交に近いほど、構造躯体への止水部材Ｘ１の取付け施工は適切に行いやすい。
【００４６】
以上のように、止水部材Ｘ１は、その使用状態において高い止水性を実現するのに適する。
【００４７】
止水部材Ｘ１では、上述のように、平板部１１の厚さ方向Ｄにおける幅広部１２の一端部は、折り返し構造部１２ｃをなす。このような構成は、折り返し構造部１２ｃを壁材側に向けて止水部材Ｘ１を構造躯体に取り付けた場合において、当該折り返し構造部１２ｃによってシール部材２０を隠すのに好適である。また、シール部材２０に加えて折り返し構造部１２ｃが構造躯体と当接する場合には、止水部材Ｘ１において高い止水性を得やすい。
【００４８】
図３は、止水部材Ｘ１の変形例を表す。止水部材Ｘ１は、その本体部１０の幅広部１２において折り返し構造部１２ｃを有しなくてもよい。このような止水部材Ｘ１も、図１および図２を参照して上述した止水部材Ｘ１と同様に、幅広部１２の取付面１２Ａにおいて平板部１１の延長面Ｅｘが横切る位置にシール部材２０が取り付けられるという構成に基づき、使用状態において高い止水性を発揮することが可能である。
【００４９】
図４および図５は、本発明の第２の実施形態である止水部材Ｘ２を表す。図４は、止水部材Ｘ２の一部切り欠き斜視図であり、図５は、図４の線Ｖ−Ｖに沿った断面図である。止水部材Ｘ２は、建物の構造躯体に対して壁材とともに取り付けられて止水機能を発揮しうるものであり、本体部１０'およびシール部材２０を備える。止水部材Ｘ２は、本体部１０の代わりに本体部１０'を備える点で止水部材Ｘ１と異なり、本体部１０'以外は止水部材Ｘ１と同様の構成を有する。
【００５０】
止水部材Ｘ２の本体部１０'は、建物の構造躯体への取付用の平板部１１と、その一端縁に沿って位置する幅広部１２とを有する。本体部１０'は、幅広部１２とは反対側の端縁において折り返し構造部１０ａを有する。この折り返し構造部１０ａは、建物の壁材と平板部１１との間に仮に水が浸入した場合に水返しとして機能しうるとともに、平板部１１の強度の確保に資する。
【００５１】
本体部１０'の幅広部１２は、平板部１１の一端縁にて平板部１１における厚さ方向Ｄの両側に延出する構造を有し、且つ、平板部１１とは反対の側にシール部材取付面である取付面１２Ａを有する。
【００５２】
第２の実施形態では、本体部１０'は、金属板を溶接した加工体（即ち、金属板の溶接加工体）、金属の押出成形体、または樹脂成形体である。そのような本体部１０'の幅広部１２は、具体的には、上述の平板部１１の上記一端縁から平板部１１に対して直角または略直角に互いに逆方向に延びる一対の延出片部１２ｄを有する。一方の延出片部１２ｄは、止水部材Ｘ１に関して上述した折り返し構造部１２ｃと同様の折り返し構造部、すなわち、平板部１１とは反対の側に一端が折り返されて形成された折り返し構造部を有してもよい。
【００５３】
金属板を溶接した加工体である本体部１０'は、金属板の溶接加工によって効率よく製造することがきる。金属の押出成形体である本体部１０'は、金属の押出成形によって効率よく製造することができる。本体部１０'をなす金属材料としては、例えば、アルミニウム合金、鉄、ステンレス、亜鉛合金、銅、およびチタニウムが挙げられる。
【００５４】
樹脂成形体である本体部１０'は、樹脂材料の例えば射出成形によって効率よく製造することがきる。本体部１０'をなす樹脂材料としては、例えば、エポキシ樹脂、ジアリルフタレート樹脂、不飽和ポリエステル樹脂、スチレン樹脂、尿素樹脂、メラミン樹脂、およびフェノール樹脂が挙げられる。
【００５５】
建物の構造躯体への止水部材Ｘ２の取付け施工は、例えば次のようにして行うことができる。
【００５６】
まず、止水部材Ｘ２の本体部１０'の幅広部１２と構造躯体の所定の部位Ｂ1（図５では仮想線で表す）との間にシール部材２０が挟まれた状態で、本体部１０'の平板部１１に力を作用させて、シール部材２０を部位Ｂ1に向けて押圧して圧縮変形させて部位Ｂ1に密接させる。次に、シール部材２０を圧縮変形させた状態で、止水部材Ｘ１の平板部１１を構造躯体の所定の他の部位Ｂ2（図５では仮想線で表す）に固定する。壁材Ｓ（図５では仮想線で表す）は、構造躯体の部位Ｂ2との間に止水部材Ｘ１の平板部１１を挟んで部位Ｂ2に対して固定されることとなる。
【００５７】
このような止水部材Ｘ２も、図１および図２を参照して上述した止水部材Ｘ１と同様に、幅広部１２の取付面１２Ａにて平板部１１の延長面Ｅｘが横切る位置にシール部材２０が取り付けられるという構成に基づき、使用状態において高い止水性を発揮することができる。
【００５８】
上述のように止水部材Ｘ２がその幅広部１２の一端に折り返し構造部を有する場合には、当該折り返し構造部を壁材側に向けて止水部材Ｘ２を構造躯体に取り付けることによって、シール部材２０を隠すのに当該折り返し構造部を利用することができる。また、シール部材２０に加えて折り返し構造部が構造躯体と当接する場合には、止水部材Ｘ２において高い止水性を得やすい。
【００５９】
図６から図８は、本発明の第３の実施形態である外壁構造Ｙ１を表す。外壁構造Ｙ１は、建物構造躯体に設けられる開口部の周りへの壁材たる外装材の取付け施工の構造である。図６は、外壁構造Ｙ１における開口部上側部位の部分断面図である。図７は、外壁構造Ｙ１における開口部両横部位それぞれの部分断面図である。図８は、外壁構造Ｙ１における開口部下側部位の部分断面図である。
【００６０】
外壁構造Ｙ１は、第３の実施形態では、構造躯体においてその開口部の周りに配される複数の胴縁３１（構造躯体第１部位）と、開口部の枠体であるサッシ３２（構造躯体第２部位）と、止水部材Ｘと、外装材３３（壁材）と、シーリング材３４,３５とを備える。
【００６１】
胴縁３１は、例えば木材であり、本施工構造において外装材３３の固定箇所等を提供している。サッシ３２は、例えばアルミニウム合金製であり、胴縁３１に対して固定される外装材３３の一の端縁３３ａに対向することとなる領域を含む。構造躯体におけるサッシ３２の一部とそれが取り付けられている柱材Ｐ１にわたって両面防水テープ３６が貼り合わされている。この両面防水テープ３６を介してサッシ３２の一部と柱材Ｐ１に対して防水紙３７の端部が貼着されている。胴縁３１と柱材Ｐ１との間には防水紙３７が介在している。
【００６２】
止水部材Ｘは、第３の実施形態では、図１および図２を参照して上述した止水部材Ｘ１であり、平板部１１と幅広部１２とを有する本体部１０、およびシール部材２０（圧縮変形可能な弾性部材）を備える。止水部材Ｘにおける平板部１１は、胴縁３１に対して固定され、且つ、この止水部材Ｘのシール部材２０は幅広部１２とサッシ３２との間に挟まれて圧縮変形した状態でサッシ３２に密接している。胴縁３１に対する止水部材Ｘの固定は、例えば釘やネジなどの留め具による留付けによって実現される。
【００６３】
このような止水部材Ｘとしては、図１および図２を参照して上述した止水部材Ｘ１の代わりに、図３を参照して上述した止水部材Ｘ１の変形例を用いてもよいし、図４および図５を参照して上述した止水部材Ｘ２を用いてもよい。
【００６４】
第３の実施形態における開口部上側部位では、止水部材Ｘ、胴縁３１、および防水紙３７にわたり、片面防水テープ３８が貼り合わされている。
【００６５】
外装材３３は、建築物の外壁を構成する建材であり、胴縁３１との間に止水部材Ｘにおける平板部１１を挟んで胴縁３１に対して固定されている。外装材３３の端縁３３ａは、サッシ３２に対向している。胴縁３１に対する外装材３３の固定は、例えば、留付け金具や、釘、ネジなどの留め具（図示略）による留付けによって実現される。外装材３３としては、例えば、窯業系サイディングボード、金属系サイディングボード、およびセラミックボードが挙げられる。
【００６６】
外装材３３は、長尺形状を有する場合に、本外壁構造において、いわゆる横張りで取り付けられてもよいし、いわゆる縦張りで取り付けられてもよい。また、外装材３３は、サッシ３２に対向する端縁３３ａ側に、実部を有しなくてもよいし、実部を有してもよい。後記の外壁構造に用いられる外装材の構成材料、取り付け態様、および実部の有無についても、外装材３３と同様である。
【００６７】
シーリング材３４は、外装材３３と止水部材Ｘとの間をシールする要素である。具体的には、シーリング材３４の少なくとも一部は、サッシ３２に対向する外装材３３の端縁３３ａにおける平板部１１の側と当該平板部１１との間に介在している。シーリング材３４の構成材料としては、例えば、変性シリコーン系樹脂、シリコーン系樹脂、ポリウレタン系樹脂、ポリサルファイド系樹脂、およびアクリル系樹脂が挙げられる。
【００６８】
シーリング材３５は、サッシ３２と外装材３３との間をシールする要素である。シーリング材３５の構成材料としては、例えば、シーリング材３４と同様の材料が挙げられる。
【００６９】
シーリング材３４,３５は、本施工構造の全体または一部において設けられなくてもよい。例えば、本施工構造における開口部上側部位の両端においては、図９に示すようにシーリング材３４,３５は設けられなくてもよい。例えば、本施工構造における開口部両横部位の上部においては、シーリング材３５は設けられなくてもよい。
【００７０】
建物構造躯体に設けられる開口部の上側部位、下側部位、および両横部位のそれぞれにおける止水部材Ｘおよび外装材３３の取付け施工を含む例えば次のような施工方法によって、上述の外壁構造Ｙ１を形成することができる。
【００７１】
本施工方法では、まず、サッシ３２と止水部材Ｘにおける幅広部１２との間に止水部材Ｘのシール部材２０が挟まれた状態でサッシ３２に向けて止水部材Ｘの平板部１１に力を作用させてシール部材２０を押圧することにより、シール部材２０を圧縮変形させてサッシ３２に密接させる（第１工程）。
【００７２】
次に、止水部材Ｘにおけるシール部材２０が圧縮変形してサッシ３２に密接している状態で、止水部材Ｘにおける平板部１１を胴縁３１に対して留め具によって固定する（第２工程）。
【００７３】
次に、外装材３３を、胴縁３１との間に止水部材Ｘにおける平板部１１を挟んで胴縁３１に対して留め具によって固定する。以上のような施工方法によって、上述の外壁構造Ｙ１を適切に形成することができる。
【００７４】
外壁構造Ｙ１では、上述のように、止水部材Ｘにおける平板部１１は胴縁３１に固定され、且つ、この止水部材Ｘにおけるシール部材２０は幅広部１２とサッシ３２との間に挟まれて圧縮変形して当該サッシ３２に密接している。このような状態においては、胴縁３１に対して固定されている平板部１１に対してサッシ３２に向けて力が作用し、平板部１１の受ける力は、平板部１１の延長面Ｅｘが横切るシール部材２０に対して幅広部１２を介して押圧力として直線的に効率よく作用する。
【００７５】
このような直線的押圧力伝達作用は、押圧力を受けるシール部材２０においてその圧縮状態の均一化を図るのに適する。シール部材２０の圧縮状態の均一性が高いほど、止水部材Ｘないしそのシール部材２０において高い止水性ないし高い防水性を実現しやすい。
【００７６】
止水部材Ｘにおいて平板部１１の延長面Ｅｘと幅広部１２の取付面１２Ａとが直交するか或いは両者の交差する角度が直交に近いほど、取付面１２Ａ上に位置してサッシ３２に向けて押圧力を受けるシール部材２０の圧縮状態は均一化されやすく、従って、当該シール部材２０において高い止水性ないし高い防水性を実現しやすい。
【００７７】
以上のように、外壁構造Ｙ１は、高い止水性を実現するのに適する。
【００７８】
また、外壁構造Ｙ１は、上述のように、外装材３３と止水部材Ｘとの間をシールするシーリング材３４を備え、このシーリング材３４の少なくとも一部は、サッシ３２に対向する外装材３３の端縁３３ａにおける平板部１１側と当該平板部１１との間に介在している。このような構成は、外装材３３と止水部材Ｘとの間の水浸入経路について止水を図るのに適する。
【００７９】
加えて、外壁構造Ｙ１は、上述のように、サッシ３２と外装材３３との間をシールするシーリング材３５を備える。このような構成は、外壁構造Ｙ１において高い止水性を実現するのに資する。
【００８０】
図１０は、本発明の第４の実施形態である外壁構造Ｙ２の部分断面図である。外壁構造Ｙ２は、いわゆる軒天取り合い部における壁材たる外装材の取付け施工の構造である。
【００８１】
外壁構造Ｙ２は、第４の実施形態では、胴縁４１（構造躯体第１部位）と、軒天材４２（構造躯体第２部位）と、止水部材Ｘと、外装材４３（壁材）と、シーリング材４４,４５とを備える。
【００８２】
胴縁４１は、例えば木材であり、本外壁構造において外装材４３の固定箇所等を提供している。胴縁４１は、柱材Ｐ２に対して固定されている。胴縁４１と柱材Ｐ２との間には防水紙４６が介在している。
【００８３】
軒天材４２は、軒下地材Ｐ３に対して固定されて、且つ、胴縁４１に対して固定される外装材４３の一の端縁４３ａに対向することとなる領域を含む。軒天材４２は、例えば、木材、金属、または樹脂よりなる。
【００８４】
止水部材Ｘは、第４の実施形態では、図１および図２を参照して上述した止水部材Ｘ１であり、平板部１１と幅広部１２とを有する本体部１０、およびシール部材２０（圧縮変形可能な弾性部材）を備える。止水部材Ｘにおける平板部１１は、胴縁４１に対して固定され、且つ、この止水部材Ｘにおけるシール部材２０は幅広部１２と軒天材４２との間に挟まれて圧縮変形して軒天材４２に密接している。胴縁４１に対する止水部材Ｘの固定は、例えば釘やネジなどの留め具（図示略）による留付けによって実現される。
【００８５】
このような止水部材Ｘとしては、図１および図２を参照して上述した止水部材Ｘ１の代わりに、図３を参照して上述した止水部材Ｘ１の変形例を用いてもよいし、図４および図５を参照して上述した止水部材Ｘ２を用いてもよい。
【００８６】
外装材４３は、建築物の外壁を構成する建材であり、胴縁４１との間に止水部材Ｘにおける平板部１１を挟んで胴縁４１に対して固定されている。外装材４３の端縁４３ａは、軒天材４２に対向している。胴縁４１に対する外装材４３の固定は、例えば、留付け金具や、釘、ネジなどの留め具（図示略）による留付けによって実現される。
【００８７】
シーリング材４４は、外装材４３と止水部材Ｘとの間をシールする要素である。シーリング材４４は、具体的には、軒天材４２に対向する外装材４３の端縁４３ａにおける平板部１１の側と当該平板部１１との間に介在している。シーリング材４４の構成材料としては、例えば、上述のシーリング材３４と同様の材料が挙げられる。
【００８８】
シーリング材４５は、軒天材４２と外装材４３との間をシールする要素である。シーリング材４５の構成材料としては、例えば、上述のシーリング材３４と同様の材料が挙げられる。
【００８９】
止水部材Ｘおよび外装材４３の取付け施工を含む例えば次のような施工方法によって、上述の外壁構造Ｙ２を形成することができる。
【００９０】
本施工方法では、まず、軒天材４２と止水部材Ｘにおける幅広部１２との間に止水部材Ｘのシール部材２０が挟まれた状態で軒天材４２に向けて止水部材Ｘの平板部１１に力を作用させてシール部材２０を押圧することにより、シール部材２０を圧縮変形させて軒天材４２に密接させる（第１工程）。
【００９１】
次に、止水部材Ｘにおけるシール部材２０が圧縮変形して軒天材４２に密接している状態で、止水部材Ｘにおける平板部１１を胴縁４１に対して留め具によって固定する（第２工程）。
【００９２】
次に、外装材４３を、胴縁４１との間に止水部材Ｘにおける平板部１１を挟んで胴縁４１に対して留め具によって固定する。以上のような施工方法によって、上述の外壁構造Ｙ２を適切に形成することができる。
【００９３】
外壁構造Ｙ２では、上述のように、止水部材Ｘにおける平板部１１は胴縁４１に固定され、且つ、この止水部材Ｘにおけるシール部材２０は幅広部１２と軒天材４２との間に挟まれて圧縮変形して当該軒天材４２に密接している。このような状態においては、胴縁４１に対して固定されている平板部１１に対して軒天材４２に向けて力が作用し、平板部１１の受ける力は、平板部１１の延長面Ｅｘが横切るシール部材２０に対して幅広部１２を介して押圧力として直線的に効率よく作用する。
【００９４】
このような直線的押圧力伝達作用は、押圧力を受けるシール部材２０においてその圧縮状態の均一化を図るのに適する。シール部材２０の圧縮状態の均一性が高いほど、止水部材Ｘないしそのシール部材２０において高い止水性ないし高い防水性を実現しやすい。
【００９５】
止水部材Ｘにおいて平板部１１の延長面Ｅｘと幅広部１２の取付面１２Ａとが直交するか或いは両者の交差する角度が直交に近いほど、取付面１２Ａ上に位置して軒天材４２に向けて押圧力を受けるシール部材２０の圧縮状態は均一化されやすく、従って、当該シール部材２０において高い止水性ないし高い防水性を実現しやすい。
【００９６】
以上のように、外壁構造Ｙ２は、高い止水性を実現するのに適する。
【００９７】
また、外壁構造Ｙ２は、上述のように、外装材４３と止水部材Ｘとの間をシールするシーリング材４４を備え、このシーリング材４４は、軒天材４２に対向する外装材４３の端縁４３ａにおける平板部１１側と当該平板部１１との間に介在している。このような構成は、外装材４３と止水部材Ｘとの間の水浸入経路について止水を図るのに適する。
【００９８】
加えて、外壁構造Ｙ２は、上述のように、軒天材４２と外装材４３との間をシールするシーリング材４５を備える。このような構成は、外壁構造Ｙ２において高い止水性を実現するのに資する。
【００９９】
図１１は、本発明の第５の実施形態である外壁構造Ｙ３の部分断面図である。外壁構造Ｙ３は、いわゆる出隅部における壁材たる外装材の取付け施工の構造である。
【０１００】
外壁構造Ｙ３は、第５の実施形態では、胴縁５１（構造躯体第１部位）と、出隅材５２（構造躯体第２部位）と、止水部材Ｘと、外装材５３（壁材）と、シーリング材５４,５５とを備える。
【０１０１】
胴縁５１は、例えば木材であり、本施工構造において外装材５３の固定箇所等を提供している。胴縁５１は、柱材Ｐ４に対して固定されている。胴縁５１と柱材Ｐ４との間には防水紙５６が介在している。
【０１０２】
出隅材５２は、柱材Ｐ４に対して固定され、且つ、胴縁５１に対して固定される外装材５３の一の端縁５３ａに対向することとなる領域を含む。出隅材５２は、例えば、木材、金属、または樹脂よりなる。
【０１０３】
止水部材Ｘは、第５の実施形態では、図１および図２を参照して上述した止水部材Ｘ１であり、平板部１１と幅広部１２とを有する本体部１０、およびシール部材２０（圧縮変形可能な弾性部材）を備える。止水部材Ｘにおける平板部１１は、胴縁５１に対して固定され、且つ、この止水部材Ｘにおけるシール部材２０は幅広部１２と出隅材５２との間に挟まれて圧縮変形して出隅材５２に密接している。胴縁５１に対する止水部材Ｘの固定は、例えば釘やネジなどの留め具（図示略）による留付けによって実現される。
【０１０４】
このような止水部材Ｘとしては、図１および図２を参照して上述した止水部材Ｘ１の代わりに、図３を参照して上述した止水部材Ｘ１の変形例を用いてもよいし、図４および図５を参照して上述した止水部材Ｘ２を用いてもよい。
【０１０５】
外装材５３は、建築物の外壁を構成する建材であり、胴縁５１との間に止水部材Ｘにおける平板部１１を挟んで胴縁５１に対して固定されている。外装材５３の端縁５３ａは、出隅材５２に対向している。胴縁５１に対する外装材５３の固定は、例えば、留付け金具や、釘、ネジなどの留め具（図示略）による留付けによって実現される。
【０１０６】
シーリング材５４は、外装材５３と止水部材Ｘとの間をシールする要素である。シーリング材５４は、具体的には、出隅材５２に対向する外装材５３の端縁５３ａにおける平板部１１の側と当該平板部１１との間に介在している。シーリング材５４の構成材料としては、例えば、上述のシーリング材３４と同様の材料が挙げられる。
【０１０７】
シーリング材５５は、出隅材５２と外装材５３との間をシールする要素である。シーリング材５５の構成材料としては、例えば、上述のシーリング材３４と同様の材料が挙げられる。
【０１０８】
止水部材Ｘおよび外装材５３の取付け施工を含む例えば次のような施工方法によって、上述の外壁構造Ｙ３を形成することができる。
【０１０９】
本施工方法では、まず、出隅材５２と止水部材Ｘにおける幅広部１２との間に止水部材Ｘのシール部材２０が挟まれた状態で出隅材５２に向けて止水部材Ｘの平板部１１に力を作用させてシール部材２０を押圧することにより、シール部材２０を圧縮変形させて出隅材５２に密接させる（第１工程）。
【０１１０】
次に、止水部材Ｘにおけるシール部材２０が圧縮変形して出隅材５２に密接している状態で、止水部材Ｘにおける平板部１１を胴縁５１に対して留め具によって固定する（第２工程）。
【０１１１】
次に、外装材５３を、胴縁５１との間に止水部材Ｘにおける平板部１１を挟んで胴縁５１に対して留め具によって固定する。以上のような施工方法によって、上述の外壁構造Ｙ３を適切に形成することができる。
【０１１２】
外壁構造Ｙ３では、上述のように、止水部材Ｘにおける平板部１１は胴縁５１に固定され、且つ、この止水部材Ｘにおけるシール部材２０は幅広部１２と出隅材５２との間に挟まれて圧縮変形して当該出隅材５２に密接している。このような状態においては、胴縁５１に対して固定されている平板部１１に対して出隅材５２に向けて力が作用し、平板部１１の受ける力は、平板部１１の延長面Ｅｘが横切るシール部材２０に対して幅広部１２を介して押圧力として直線的に効率よく作用する。
【０１１３】
このような直線的押圧力伝達作用は、押圧力を受けるシール部材２０においてその圧縮状態の均一化を図るのに適する。シール部材２０の圧縮状態の均一性が高いほど、止水部材Ｘないしそのシール部材２０において高い止水性ないし高い防水性を実現しやすい。
【０１１４】
止水部材Ｘにおいて平板部１１の延長面Ｅｘと幅広部１２の取付面１２Ａとが直交するか或いは両者の交差する角度が直交に近いほど、取付面１２Ａ上に位置して出隅材５２に向けて押圧力を受けるシール部材２０の圧縮状態は均一化されやすく、従って、当該シール部材２０において高い止水性ないし高い防水性を実現しやすい。
【０１１５】
以上のように、外壁構造Ｙ３は、高い止水性を実現するのに適する。
【０１１６】
また、外壁構造Ｙ３は、上述のように、外装材５３と止水部材Ｘとの間をシールするシーリング材５４を備え、このシーリング材５４は、出隅材５２に対向する外装材５３の端縁５３ａにおける平板部１１側と当該平板部１１との間に介在している。このような構成は、外装材５３と止水部材Ｘとの間の水浸入経路について止水を図るのに適する。
【０１１７】
加えて、外壁構造Ｙ３は、上述のように、外装材５３と出隅材５２との間をシールするシーリング材５５を備える。このような構成は、外壁構造Ｙ３において高い止水性を実現するのに資する。
【符号の説明】
【０１１８】
Ｘ１，Ｘ２        止水部材
Ｅｘ              延長面
Ｄ                厚さ方向
１０，１０’      本体部
１１              平板部
１２              幅広部
１２Ａ            取付面（シール部材取付面）
１２ｃ            折り返し構造部
２０              シール部材
Ｙ１，Ｙ２，Ｙ３  壁構造
３１，４１，５１  胴縁（構造躯体第１部位）
３２              サッシ（構造躯体第２部位）
４２              軒天材（構造躯体第２部位）
５２              出隅材（構造躯体第２部位）
３３，４３，５３  外装材
３４，３５，４４，４５，５４，５５  シーリング材
【図１】
2019065479.tif 000003
【図２】
2019065479.tif 000004
【図３】
2019065479.tif 000005
【図４】
2019065479.tif 000006
【図５】
2019065479.tif 000007
【図６】
2019065479.tif 000008
【図７】
2019065479.tif 000009
【図８】
2019065479.tif 000010
【図９】
2019065479.tif 000011
【図１０】
2019065479.tif 000012
【図１１】
2019065479.tif 000013